(57)【要約】    【課題】従来のフック装置におけるフック部材とバー部材の組合せに代えて、雌雄ボタンの組合せを利用する。    【解決手段】衣服等の開放端部の一端に取り付けられる雄ホックと、開放端部の他端に取り付けられ、前記雄ホックと着脱自在に係止する雌ホックとから構成されるホック装置である。（Ａ）雌雄ホックの一方はボタンの雌雄部材の一方（１０）である。（Ｂ）雌雄ホックの他方（２０）は、（ａ）長手方向に溝（２６）を形成した基部（２２）と、（ｂ）溝に収納された弾性体（２３）と、（ｃ）前記ボタンの雌雄部材の一方（１０）に対応する雌雄部材の他方部材（３０）と、（ｄ）雌ホック基部との間に弾性体（２３）の収納空間を確保すると共に雌雄部材の他方部材（３０）を露出させる長孔（３４）を備えた蓋部（２５）とから構成されている。【選択図】  図１
2005110854.tif 000002
【特許請求の範囲】
【請求項１】
衣服等の開放端部の一端に取り付けられる雄ホックと、開放端部の他端に取り付けられ、前記雄ホックと着脱自在に係止する雌ホックとから構成されるホックであって、
（Ａ）前記雌雄ホックの一方はボタンの雌雄部材の一方（１０）であり、
（Ｂ）前記雌雄ホックの他方（２０）は、
（ａ）長手方向に溝（２６）を形成した基部（２２）と、
（ｂ）前記溝（２６）に収納された弾性体（２３）と、
（ｃ）前記弾性体（２３）に接続された、前記ボタンの雌雄部材の一方（１０）に対応する雌雄部材の他方部材（３０）と、
（ｄ）前記基部との間に前記弾性体（２３）の収納空間を確保すると共に前記雌雄部材の他方部材（３０）を露出させる長孔（３４）を備えた蓋部（２５）と、
から構成されていることを特徴とするウエストサイズ調整用ホック装置。
【請求項２】
前記（Ｂ）(b)の弾性体（２３）と前記（Ｂ）(c)の雌雄部材の他方部材（３０）が一体成形されている請求項１記載のホック装置。
【請求項３】
前記（Ａ）の雌雄ホックの一方はボタンの雄部材であり、前記（Ｂ）（ｃ）の雌雄ホックの他方は前記ボタンの雄部材に対応するボタンの雌部材である請求項１又は２記載のホック装置。
【請求項４】
前記（Ａ）の雌雄ホックの一方はボタンの雌部材であり、前記（Ｂ）（ｃ）の雌雄ホックの他方は前記ボタンの雌部材に対応するボタンの雄部材である請求項１又は２記載のホック装置。
【発明の詳細な説明】
【技術分野】
【０００１】
本発明は、主としてズボンやスカート等の衣服等のウエストサイズ調整用に装着され、これらのサイズを一定範囲において自動的に調整可能とするホック装置に関する。
【背景技術】
【０００２】
食事後の腹部膨満状態のときや屈伸運動時などで腹部に力を入れたときには、腹圧が高まり一時的にウエストサイズが拡張する。腹圧に応じて自動的にサイズ調整機能を発揮するホック装置を衣服等の開放端部に設けることは下記特許文献１〜３により公知である。
【特許文献１】特許第３３６０２４８号公報
【特許文献２】特許第３３６０２５８号公報
【特許文献３】特開２００２−１７４０９公報
【０００３】
この特許文献１〜３のホック装置ではいずれも、衣服等の開放端部の一端に取り付けられる雄ホックと、開放端部の他端に取り付けられ、前記雄ホックと着脱自在に係止する雌ホックとから構成されている。
【発明の開示】
【発明が解決しようとする課題】
【０００４】
これらの従来技術においては、雄ホックはＵ字型のフック部材であり、雌ホックはバー部材であって（いわゆる「フック・アンド・バー」又は「フック・アンド・アイ」と呼ばれる組合せである）、着用者は指で位置を確かめながらフック部材をバー部材に引っかけている。この操作は小児や障害のある人には困難であった。また、いったん引っかけた後でもふとした拍子に逆の力が加わって両者の係合が解けることがあった。
【０００５】
そこで、本発明では、フック部材とバー部材の組合せに代えて、雌雄ボタンの組合せを利用することとした。したがって、本願発明の目的は、ボタン式の新規な雌雄ホックを有するホック装置を提供することである。
【課題を解決するための手段】
【０００６】
本発明のホック装置は、衣服等の開放端部の一端に取り付けられる雄ホックと、開放端部の他端に取り付けられ、前記雄ホックと着脱自在に係止する雌ホックとから構成されるホックであって、
（Ａ）前記雌雄ホックの一方はボタンの雌雄部材の一方であり、
（Ｂ）前記雌雄ホックの他方は、（ａ）長手方向に溝を形成した基部と、（ｂ）前記溝に収納された弾性体と、（ｃ）前記弾性体（２３）に接続された、前記ボタンの雌雄部材の一方に対応する雌雄部材の他方部材と、（ｄ）前記基部との間に前記弾性体の収納空間を確保すると共に前記雌雄部材の他方部材を露出させる長孔を備えた蓋部、とから構成されていることを特徴とする。
【発明の効果】
【０００７】
本発明によれば、従来技術におけるフック部材とバー部材の組合せに代えて、雌雄ボタンの組合せを使用しているので、小児や障害のある人にも操作が容易である。また、いったん引っかけた後では、意識的に外さない限り偶然に両者の係合が解けることはない。さらに、前記従来技術と共に市場に供給されれば、消費者の選択の幅が広がる。
【発明を実施するための最良の形態】
【０００８】
雌雄ホック相互の関係は相対的なものである。前記雌雄ホックの一方をボタンの雄部材としたときは、この雌雄ホックの他方は前記ボタンの雄部材に対応する雌部材となる。しかし、前記雌雄ホックの一方をボタンの雌部材としたときには、この雌雄ホックの他方は前記ボタンの雌部材に対応する雄部材となる。
【０００９】
上記（Ｂ）（ｂ）の弾性体としては、さまざまな種類のものを使用しうる。例えば、コイルバネ、板バネ、棒バネ、樹脂バネなどであり、材料も金属、ゴム、樹脂、流体などが使用可能である。コイルバネは引っ張りバネも圧縮バネも使用可能である。
【００１０】
上記（Ｂ）（ｂ）の弾性体と、上記（Ｂ）（ｃ）の雌雄部材の一方に対応する雌雄部材の他方部材とは、別々の部品を組み合わせてもよいし、両者が一体成形されていてもよい。特に、バネを樹脂で成型する場合は一体成形する方が便利である。
【００１１】
以下、添付の図面に基づき、本発明の実施例を説明する。
【実施例１】
【００１２】
図１は実施例１に係るホックの組み立て状態の斜視図である。図２は雌ホックの（ａ）平面図、（ｂ）側面図（ｃ）右側面図、図３は雌雄ボタン係合部の拡大図である。図４は、係合ボタンが（ａ）摺動前の状態と（ｂ）摺動後の状態における長手方向中央断面図である。
【００１３】
雄ホック１０は、衣服等の開放端部の一端１１に取り付けられたスナップボタンの雄部材である。内部側（下側）に係合突起１２があり、外部側（上側）は装飾ボタン表面１３となっている。外部側（上側）のボタン表面１３は単なる装飾目的のものであるので省略可能である。
【００１４】
雌ホック２０は、開放端部の他端２１（図４）に取り付けられ、前記雄ホック１０と着脱自在に係止する。この雌ホック２０は、基部２２と、弾性体２３と、雌部材２４と、蓋部２５とからなる。
【００１５】
基部２２は、長手方向に溝２６を形成しており、生地に取り付けるための脚部２７を有する。この実施例では、基部は、幅11.5mm、長さ31mm、厚さ2.4mm の外形輪郭を有する。さらに、長手方向中央部に断面形状が一様な、幅6.0mm 、深さ1.8mm の凹形の溝２６を形成している。溝の一端には、後記する目的で爪状突起２８が設けられている。脚部２７は、左右両端に２個ずつ先鋭なナイフ状のものが設けられている。衣服等の開放端部の一端に取り付けるとき、生地に対してこの脚部２７を突き立て、裏から座板２９（図４）を当てて、貫通生地の裏で折り曲げてかしめる。
【００１６】
弾性体２３は、金属線を前記雌ホックに形成した溝２６に収納されるように設定したコイルバネである。コイルバネの一端は前記した基部の爪状突起２８に固定され、他端は次記する雌部材２４に固定される。この実施例では、力が加えられると縮む圧縮バネを使用している。
【００１７】
雌部材２４は、前記ボタンの雄部材１２に対応するもので、スナップボタンの受け部３０を備えたブロック体３１である。図３の拡大図に示すように、このブロック体の一側部３１ａが膨出しており、ここに前記コイルバネ２３の一端が固定されているので、コイルバネ２３と連動して移動可能である。スナップボタンの受け部３０の開口部３２は、図３に示すように、少し偏心させておく方が嵌合を確かなものにする上で好ましい。
【００１８】
蓋部２５は、ほぼ楕円形の板状であるが、前記基部２２と連結するための側部３３を有する。前記基部２２と組み合わせたとき、両者の間に前記バネの収納室が形成される。さらに蓋部２５は前記雌部材３０を露出させ続ける長孔３４を備えている。
【００１９】
図４に基づいて、本発明のホック装置の作用を説明する。衣服等のウエストの開放一端部に装着した雄ホックのボタン係合突起１２と、衣服等のウエストの開放他端部に装着した雌ホック２０のボタン受け部３０とを着用者が指で係合させる（図１の矢印参照）。
【００２０】
腹圧が増加したとき（例えば、食事後の腹部膨満状態のときや屈伸運動時などで腹部に力を入れたとき）、係合した雌雄ボタンが弾性体２３の弾性力に抗して長孔３４に沿って移動し、衣服等のウエストのサイズを増加させる（図４（ｂ））。反対に腹圧が減少したとき、弾性体２３の復元力により係合した雌雄ボタンがウエストのサイズを減少させる方向に引き寄せられる（図４（ａ））。要するに、腹圧に応じて自動的に最適なサイズに調整されることとなる。
【００２１】
なお、図４の配置では、着用者から見て外部側に雄ホック１０が、内部側に雌ホック３０が位置しているが、その逆でもよい。
【実施例２】
【００２２】
図１において、スナップボタンの雄部材１０を雌部材に代え、バネに固定されたスナップボタンの雌部材３０を雄部材に代えても同じ効果が得られる。
【図面の簡単な説明】
【００２３】
【図１】実施例１に係るホックの組み立て状態の斜視図である。
【図２】雌ホックの（ａ）平面図、（ｂ）側面図（ｃ）右側面図である。
【図３】雌雄ボタン係合部の拡大図である。
【図４】係合ボタンが（ａ）摺動前の状態と（ｂ）摺動後の状態における長手方向中央断面図である。
【符号の説明】
【００２４】
１０ 雄ホック
１２ ボタン係合突起
１３ 装飾ボタン表面
２０ 雌ホック
２２ 雌雌ホック基部
２３ 弾性体
２４ 雌部材
２５ 雌雌ホック蓋部
２６ 溝
２７ 脚部
２８ 爪状突起
２９ 座板
３０ 雌部材
３１ ブロック体
３４ 長孔
【図１】
2005110854.tif 000003
【図２】
2005110854.tif 000004
【図３】
2005110854.tif 000005
【図４】
2005110854.tif 000006